(57)【特許請求の範囲】
【請求項１】
密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定されたピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜とからなる密閉型圧縮機。
【請求項２】
密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定され鉛直方向上方のみ開口している中空部を有するピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜と、前記ピストンピンの中空部と前記油溜とを連通するように設けた連通孔とからなる密閉型圧縮機。
【発明の詳細な説明】
【０００１】
【発明の属する技術分野】
本発明は、冷凍冷蔵装置等に使用される密閉型圧縮機に関するものである。
【０００２】
【従来の技術】
冷凍冷蔵装置等に使用される密閉型圧縮機は密閉容器内に電動圧縮要素が収納されており、密閉容器内のメンテナンスや修理ができないため、信頼性の高いものが強く望まれている。特に、摺動部においては潤滑不良を起こすことなく、長期に渡り安定した高い信頼性を維持し続けなくてはならない。
【０００３】
そのため、潤滑不良を低減するためにオイルを摺動部へ送り信頼性を高める方法が従来から提案されている。このピストン、コネクティングロッド等の摺動部へのオイルの供給方法としては、例えば実開昭５２−９２４１４号公報や特開昭６０−２５２１７８号公報に示されているような密閉型圧縮機がある。
【０００４】
以下、図面を参照しながら、上述した従来の密閉型圧縮機の一例について説明する。
【０００５】
図３は従来の密閉型圧縮機を示す断面図である。
【０００６】
図３において、１は密閉容器、２はオイルで密閉容器１内の底部に貯溜されている。３は電動機、４は下端がオイル２に浸かり、電動機３により回転運動するクランク軸で、５はクランク軸４内を通り、クランク軸４の上端部と下端部を連通する給油通路である。６はクランク軸４を軸支する軸受、７はクランク軸４上部に設けられた偏心部である。
【０００７】
８は給油通路５の上端に垂直に挿入固定された散油管、９はコネクティングロッド、１０はコネクティングロッド９の一端に設けられ、偏心部７が挿入された大端穴部、１１はコネクティングロッド９の他端に設けられた小端穴部である。
【０００８】
１２は小端穴部に挿入するピストンピン、１３はシリンダ、１４はシリンダ１３内に摺動自在に挿入され、ピストンピン１２によりコネクティングロッド９と一体となったピストンである。
【０００９】
以上のように構成された密閉型圧縮機について、以下その動作を説明する。
クランク軸４が回転することにより給油通路５内でオイル２に油圧が発生し、オイル２は給油通路５内を上昇する。吸い上げられたオイル２は軸受６や偏心部７の潤滑を行うと共に、偏心部に挿入された散油管８から吹き出し、遠心力によって円周方向に飛ばされる。
【００１０】
飛ばされたオイル２の一部はピストン１４、シリンダ１３、ピストンピン１２、コネクティングロッド９の小端穴部１１に振りかけられ、それらの摺動部の潤滑、冷却を行う。また、飛ばされた他のオイルは密閉容器１に振りかけられ、密閉容器１の内壁面に飛着したオイル２は、密閉容器１を介して外部と熱交換を行い冷却される。
【００１１】
また、冷媒回路（図示せず）内を循環している冷媒ガスは、クランク軸４の回転運動と連動するピストン１４の往復運動によりシリンダ１３内へ導かれて圧縮された後、再び冷媒回路へ吐出される。
【００１２】
【発明が解決しようとする課題】
しかしながら上記従来の構成では、圧縮機が停止するとピストンピンとコネクティングロッドの小端穴部との摺動部におけるオイルがすべて流出し、再起動時に摺動部へ給油されるまでの間は油膜の形成が行われず、金属接触によって摺動部が摩耗してしまう可能性があるという欠点があった。
【００１３】
本発明は従来の課題を解決するもので、圧縮機の起動時にピストンピンとコネクティングロッド小端穴部との摺動部に起動と同時にオイルを供給できるようにすることで摺動部の摩耗を防ぎ、信頼性の高い密閉型圧縮機とすることを目的とする。
【００１４】
また、上記従来の構成では、圧縮機が停止するとピストンとシリンダとの摺動部におけるオイルがすべて流出し、再起動時に摺動部へ給油されるまでの間は油膜の形成が行われず、金属接触によって摺動部が摩耗してしまうという可能性があった。
【００１５】
本発明の他の目的は、圧縮機の起動時にピストンピンとコネクティングロッド小端穴部との摺動部に起動と同時にオイルを確実に供給できるようにすると共にピストンとシリンダとの摺動部にも起動と同時にオイルを供給できるようにすることで潤滑不良による摩耗を防ぎ、信頼性の高い密閉型圧縮機とすることである。
【００１６】
【課題を解決するための手段】
この目的を達成するため本発明の密閉型圧縮機は、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定されたピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜とから構成されている。
【００１７】
これにより、圧縮機の起動と同時にピストンピンとコネクティングロッド小端穴部との摺動部にオイルを供給できる。
【００１８】
従って、ピストンピンとコネクティングロッド小端穴部との摺動部の摩耗を防ぐことができ、高い信頼性が得られる。
【００１９】
また、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定され鉛直方向上方のみ開口している中空部を有するピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜と、前記ピストンピンの中空部と前記油溜とを連通するように設けた連通孔とから構成されている。
【００２０】
これにより、油溜には圧縮機停止時にコネクティングロッドや摺動部から流れ落ちたオイルが確実に溜まり、起動と同時に油溜に溜まったオイルをピストンピンと小端穴部との摺動部に、またピストンピンの中空部に溜まったオイルをピストンとシリンダとの摺動部に供給できる。
【００２１】
従って、圧縮機起動時に複数の摺動部の潤滑不良を防止し、高い信頼性が得られる。
【００２２】
【発明の実施の形態】
本発明の請求項１に記載の発明は、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定されたピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜とからなる密閉型圧縮機としたものであり、圧縮機の起動と同時にピストンピンとコネクティングロッド小端穴部との摺動部にオイルを供給できるという作用を有する。
【００２３】
従って、摺動部の摩耗を防ぐことができ、高い信頼性が得られる。
請求項２に記載の発明は、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定され鉛直方向上方のみ開口している中空部を有するピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜と、前記ピストンピンの中空部と前記油溜とを連通するように設けた連通孔とからなる密閉型圧縮機としたものであり、圧縮機の起動と同時にピストンピンとコネクティングロッド小端穴部との摺動部、また更にピストンとシリンダとの摺動部にオイルを供給できるという作用を有する。
【００２４】
従って、複数の摺動部の摩耗を防ぐことができ、高い信頼性が得られる。
以下、本発明の実施の形態について、図１と図２を用いて説明する。
【００２５】
尚、従来例と同一構成については、同一符号を付して詳細な説明を省略する。
（実施の形態１）
図１は、本発明の請求項１に記載の密閉型圧縮機の要部の断面図である。
【００２６】
図１において、１５はピストンであり、１６はピストン１５の鉛直方向下方内面にピストンピン１２の周りに全周または一部に設けた油溜である。
【００２７】
以上のように構成された密閉型圧縮機について、以下その動作を説明する。
密閉型圧縮機の停止時には油溜１６にコネクティングロッド９やピストンピン１２と小端穴部１１との摺動部から流れ落ちたオイル２が溜まり、起動と同時に油溜１６に溜まったオイル２を摺動部へ供給することができる。
【００２８】
従って、密閉型圧縮機の起動時の給油遅れによるピストンピンと小端穴部との摺動部の潤滑不良を防止し、高い信頼性が得られる。
【００２９】
以上のように本実施例の密閉型圧縮機はピストン１５と、油溜１６とから構成されているので、圧縮機の起動と同時にピストンピンとコネクティングロッド小端穴部との摺動部にオイルを供給できるので、ピストンピンと小端穴部との摺動部の潤滑不良を防止し、信頼性を高くすることができる。
【００３０】
（実施の形態２）
図２は、本発明の請求項２に記載の密閉型圧縮機の要部断面図である。
【００３１】
図２において、１７はピストンであり、１８は鉛直方向上方のみ開口している中空部１９を有するピストンピンである。２０はピストン１７の鉛直方向下方内面にピストンピン１８の周りに全周または一部に設けた油溜であり、２１は中空部１９と油溜２０を連通する連通孔である。
【００３２】
以上のように構成された密閉型圧縮機について、以下その動作を説明する。
密閉型圧縮機の運転中にはピストンピン１８の中空部１９にシリンダ１３やピストン１７とシリンダ１３との摺動部から流れ落ちたオイル２が溜まり、そのオイル２は連通孔２１を通り油溜２０にも溜まる。停止時には油溜２０にコネクティングロッド９やピストンピン１８と小端穴部１１との摺動部から流れ落ちたオイル２も溜まるため、再起動時には確実に油溜２０に溜まったオイル２をピストン１８と小端穴部１１との摺動部へ給油することができると共に、中空部１９に溜まったオイル２をピストン１７とシリンダ１３との摺動部へ給油できる。
【００３３】
従って、密閉型圧縮機の起動時にピストンピンと小端穴部との摺動部、また更にピストンとシリンダとの摺動部の潤滑不良を防止し、高い信頼性が得られる。
【００３４】
以上のように本実施例の密閉型圧縮機はピストン１７と、ピストンピン１８と、中空部１９と、油溜２０と、連通孔２１とから構成されているので、圧縮機の起動と同時にピストンピンとコネクティングロッド小端穴部との摺動部、更にピストンピンとシリンダとの摺動部にオイルを供給できるので、複数の摺動部の潤滑不良を防止し、信頼性を高くすることができる。
【００３５】
【発明の効果】
以上説明したように本発明は、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定されたピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜とから構成されているので、圧縮機の起動と同時にピストンピンとコネクティングロッド小端穴部との摺動部にオイルを供給できるようにすることで摺動部の摩耗を防ぎ、信頼性を高くするという有利な効果が得られる。
【００３６】
また、密閉容器と、前記密閉容器底部に貯溜したオイルと、下端が前記オイルに浸かり、電動機により回転運動するとともに軸線が鉛直方向に配置されたクランク軸と、前記クランク軸内を通る給油通路と、前記クランク軸を軸支する軸受と、前記クランク軸に設けられた偏心部と、軸線が水平方向に配置されたシリンダと、前記シリンダ内に挿入され往復動するピストンと、前記ピストンに軸線が鉛直方向になるよう固定され鉛直方向上方のみ開口している中空部を有するピストンピンと、一端に前記偏心部と連結する大端穴部を有し、他端に前記ピストンピンを摺動自在に収納する小端穴部を有するコネクティングロッドと、前記ピストンの鉛直方向下方内面に前記ピストンピンの周りに全周または一部に設けた油溜と、前記ピストンピンの中空部と前記油溜とを連通するように設けた連通孔とから構成されているので、圧縮機の起動と同時にピストンピンとコネクティングロッド小端穴部との摺動部にオイルを確実に供給できるようにすると共に、ピストンとシリンダとの摺動部にもオイルを供給できるようにすることで複数の摺動部の摩耗を防ぎ、信頼性を高くするという有利な効果が得られる。
【図面の簡単な説明】
【図１】本発明の実施の形態１による密閉型圧縮機の要部断面図
【図２】本発明の実施の形態２による密閉型圧縮機の要部断面図
【図３】従来の密閉型圧縮機の断面図
【符号の説明】
１  密閉容器
２  オイル
３  電動機
４  クランク軸
５  給油通路
６  軸受
７  偏心部
９  コネクティングロッド
１０  大端穴部
１１  小端穴部
１２  ピストンピン
１３  シリンダ
１４  ピストン
１５  ピストン
１６  油溜
１７  ピストン
１８  ピストンピン
１９  中空部
２０  油溜
２１  連通孔
【図１】
0003872146.tif 000002
【図２】
0003872146.tif 000003
【図３】
0003872146.tif 000004